【手続補正書】
【提出日】平成17年8月4日(2005.8.4)
【手続補正１】
【補正対象書類名】明細書
【補正対象項目名】特許請求の範囲
【補正方法】変更
【補正の内容】
【特許請求の範囲】
【請求項１】
１以上のオリジナルの楽曲と、前記オリジナルの楽曲とは別に選択的に再生するためのボ−ナス楽曲と、のアナログオ−デイオ信号をＡ／Ｄ変換してデジタルデ−タ列を生成するステツプと、
記録領域に、
デイスクの前記１以上のオリジナルの楽曲と、前記オリジナルの楽曲とは別に選択的に再生するためのボ−ナス楽曲と、を管理するオ−デイオマネジヤ（ＡＭＧ）と、
前記１以上のオリジナル楽曲の構成要素である第１のオ−デイオタイトルであつて、複数のオ−デイオオブジエクト（ＡＯＢ）を含む第１のオ−デイオタイトルと、
前記ボ−ナス楽曲が設けられた場合にはそのボ−ナス楽曲の構成要素である第２のオ−デイオタイトルであつて、複数のオ−デイオオブジエクト（ＡＯＢ）を含む第２のオ−デイオタイトルと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容すると共に前記ボ−ナス楽曲が存在しない場合にはそれを示すデ−タとして利用されるインタラクテイブデ−タと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）は、前記スチルピクチヤセツト（ＳＰＳ）内のスチルピクチヤデ−タをペ−ジ制御する制御情報であつてスチルピクチヤデ−タのペ−ジめくり再生モ−ドを含むスチルピクチャ制御情報（ＳＰＣＩＴ）を有し、
前記スチルピクチャ制御情報（ＳＰＣＩＴ）は、さらに、ペ−ジめくり制御処理デ−タであるペ−ジめくりコマンドを収めたスチルピクチヤ・ペ−ジ制御コマンド・インフオメ−シヨン（ＳＰＰＩ）を有してなる、
デ−タ構造にフオ−マツト化されて、記録するステツプと、
からなるエンコ−ド方法。
【請求項２】
請求項１に記載のエンコ−ド方法により記録された信号の再生装置であつて、
前記オリジナル楽曲のオ−デイオデ−タを無条件に再生する再生手段と、
前記ボ−ナス楽曲にアクセスするためのインタラクテイブデ−タが供給された場合に、前記ボ−ナス楽曲のオ−デイオデ−タを再生許可する再生許可手段と、
前記記録されたスチルピクチヤデ−タをペ−ジ制御するスチルピクチャ制御情報（ＳＰＣＩＴ）をデコ−ドしてスチルピクチヤ・ペ−ジ制御コマンド・インフオメ−シヨン（ＳＰＰＩ）を取り出す第１のデコ−ド手段と、
前記記録されたスチルピクチヤセツト（ＳＰＳ）に配置される第３のパツクからスチルピクチヤデ−タをデコ−ドする第２のデコ−ド手段と、
前記再生時に少なくとも前記第１のデコ−ド手段から取り出されたスチルピクチヤ・ペ−ジ制御コマンド・インフオメ−シヨン（ＳＰＰＩ）に基づいて、ペ−ジめくり再生モ−ドのとき、前記第２のデコ−ド手段で取り出されたスチルピクチヤデ−タを、ペ−ジめくり制御して出力する出力手段とを、
有する再生装置。
【手続補正２】
【補正対象書類名】明細書
【補正対象項目名】００１１
【補正方法】変更
【補正の内容】
【００１１】
１）１以上のオリジナルの楽曲と、前記オリジナルの楽曲とは別に選択的に再生するためのボ−ナス楽曲と、のアナログオ−デイオ信号をＡ／Ｄ変換してデジタルデ−タ列を生成するステツプと、
記録領域に、
デイスクの前記１以上のオリジナルの楽曲と、前記オリジナルの楽曲とは別に選択的に再生するためのボ−ナス楽曲と、を管理するオ−デイオマネジヤ（ＡＭＧ）と、
前記１以上のオリジナル楽曲の構成要素である第１のオ−デイオタイトルであつて、複数のオ−デイオオブジエクト（ＡＯＢ）を含む第１のオ−デイオタイトルと、
前記ボ−ナス楽曲が設けられた場合にはそのボ−ナス楽曲の構成要素である第２のオ−デイオタイトルであつて、複数のオ−デイオオブジエクト（ＡＯＢ）を含む第２のオ−デイオタイトルと、
再生時にユ−ザが前記ボ−ナス楽曲にアクセスするために供給するデ−タと比較されるデ−タであつてこの供給されたデ−タと同一の場合に、前記ボ−ナス楽曲を再生することを許容すると共に前記ボ−ナス楽曲が存在しない場合にはそれを示すデ−タとして利用されるインタラクテイブデ−タと、
スチルピクチヤセツト（ＳＰＳ）とを有し、
前記オ−デイオオブジエクト（ＡＯＢ）が、実デ−タとしてオ−デイオデ−タを有する第１のパツクのみにより構成された第１のオ−デイオオブジエクト（ＡＯＢ）と、前記第１のパツク、及び実デ−タとして前記オ−デイオデ−タに関するリアルタイムインフオメ−シヨンデ−タを有する第２のパツクにより構成された第２のオ−デイオオブジエクト（ＡＯＢ）の２種類で構成され、
さらに、前記スチルピクチヤセツト（ＳＰＳ）が前記オ−デイオデ−タに関するスチルピクチヤデ−タを含む第３のパツクを有し、
前記複数のオ−デイオオブジエクト（ＡＯＢ）がその再生順に再生されるための制御情報（ＡＴＳ−ＰＧＣＩＴ）を含むオ−デイオタイトルセツト・インフオメ−シヨン（ＡＴＳＩ）を有し、
このオ−デイオタイトルセツト・インフオメ−シヨン（ＡＴＳＩ）は、前記スチルピクチヤセツト（ＳＰＳ）内のスチルピクチヤデ−タをペ−ジ制御する制御情報であつてスチルピクチヤデ−タのペ−ジめくり再生モ−ドを含むスチルピクチャ制御情報（ＳＰＣＩＴ）を有し、
前記スチルピクチャ制御情報（ＳＰＣＩＴ）は、さらに、ペ−ジめくり制御処理デ−タであるペ−ジめくりコマンドを収めたスチルピクチヤ・ペ−ジ制御コマンド・インフオメ−シヨン（ＳＰＰＩ）を有してなる、
デ−タ構造にフオ−マツト化されて、記録するステツプと、
からなるエンコ−ド方法。
２）請求項１に記載のエンコ−ド方法により記録された信号の再生装置であつて、
前記オリジナル楽曲のオ−デイオデ−タを無条件に再生する再生手段と、
前記ボ−ナス楽曲にアクセスするためのインタラクテイブデ−タが供給された場合に、前記ボ−ナス楽曲のオ−デイオデ−タを再生許可する再生許可手段と、
前記記録されたスチルピクチヤデ−タをペ−ジ制御するスチルピクチャ制御情報（ＳＰＣＩＴ）をデコ−ドしてスチルピクチヤ・ペ−ジ制御コマンド・インフオメ−シヨン（ＳＰＰＩ）を取り出す第１のデコ−ド手段と、
前記記録されたスチルピクチヤセツト（ＳＰＳ）に配置される第３のパツクからスチルピクチヤデ−タをデコ−ドする第２のデコ−ド手段と、
前記再生時に少なくとも前記第１のデコ−ド手段から取り出されたスチルピクチヤ・ペ−ジ制御コマンド・インフオメ−シヨン（ＳＰＰＩ）に基づいて、ペ−ジめくり再生モ−ドのとき、前記第２のデコ−ド手段で取り出されたスチルピクチヤデ−タを、ペ−ジめくり制御して出力する出力手段とを、
有する再生装置。
【手続補正３】
【補正対象書類名】明細書
【補正対象項目名】００５９
【補正方法】削除
【補正の内容】